(57)【要約】【課題】装置本体を大型化することなく、シリアルヘッドの印字領域よりも幅広の印字媒体に対しても印字できるようにした印刷装置を提供することにある。【解決手段】サーマル用紙４、通帳Ｔを搬送路６ａ，６ｂに沿って搬送する搬送手段と、搬送路６ａ，６ｂ中にサーマル用紙４、通帳Ｔの搬送方向に沿って配設され、通帳Ｔに対し印字するドットヘッド９ａ及びサーマル用紙４に印字するサーマルヘッド１７，１８とを具備し、ドットヘッド９ａは、通帳Ｔの搬送方向に対し直交する移動路３２に沿って移動し、移動路３２の一端部側をスローアップ領域３２ａ、中途部を等速とする印字領域３２ｂ、他端部側をスローダウン領域３２ｃとし、サーマルヘッド１７，１８は、サーマル用紙４の搬送方向に対し直交する方向に沿って設けられ、直交する方向の幅寸法を前記ドットヘッド９ａの印字領域３２ｂ以上とする。【選択図】      図３
2010214735.tif 000002
【特許請求の範囲】
【請求項１】
印字媒体を搬送路に沿って搬送する搬送手段と、
前記搬送路中に前記印字媒体の搬送方向に沿って配設され、前記印字媒体に対し印字するシリアルヘッド及びラインヘッドとを具備し、
前記シリアルヘッドは、前記印字媒体の搬送方向に対し直交する移動路に沿って移動し、前記移動路の一端部側をスローアップ領域、中途部を等速とする印字領域、他端部側をスローダウン領域とし、
前記ラインヘッドは、前記印字媒体の搬送方向に対し直交する方向に沿って設けられ、直交する方向の印字幅寸法を前記シリアルヘッドの印字領域以上とすることを特徴とする印刷装置。
【請求項２】
前記印字媒体は、通帳、及びステイトメント用紙で、
前記シリアルヘッドは、前記通帳に印字し、
前記ラインヘッドは、前記ステイトメント用紙に印字することを特徴とする請求項１記載の印刷装置。
【請求項３】
前記シリアルヘッドは、ドットヘッドで、
前記ラインヘッドは、サーマルヘッドであることを特徴とする請求項１または２記載の印刷装置。
【発明の詳細な説明】
【技術分野】
【０００１】
本発明は、印字媒体として通帳やサーマル用紙を選択的に搬送して印字する印刷装置に関する。
【背景技術】
【０００２】
印刷装置には、その前面部側にステイトメント用紙を出入させる用紙出入口と、通帳を出入させる通帳出入口とを上下に配置し、用紙出入口から挿入されるステイトメント用紙をステイトメント用搬送手段によって印字部に搬送し、或いは、通帳出入口から挿入される通帳を通帳用搬送手段によって印字部に搬送してドットヘッド（シリアルヘッド）によりそれぞれ印字するものがある。
【０００３】
印字されたステイトメント用紙、及び通帳は逆送されて用紙出入口及び通帳出入口からそれぞれ送り出されるようになっている（例えば、特許文献１参照。）。
【特許文献１】特開２００３−１７６０６５号公報
【発明の開示】
【発明が解決しようとする課題】
【０００４】
ところで、ドットヘッドは、ステイトメント用紙や通帳の搬送方向に対し直交する移動路の一端部側から移動して印字を行なったのち他端部側に至るようになっている。移動路の一端部側はドットヘッドが移動速度をスローアップさせる領域で、中途部が等速で移動する等速領域で、他端部側が移動速度をスローダウンさせる領域となっている。
【０００５】
ドットヘッドはスローアップ領域やスローダウン領域で印字を行なうと、印字される文字が間延びしたり、縮んだりするため、等速領域で印字を行なうようになっている。
【０００６】
このようにドットヘッドは等速領域で印字を行なうため、等速領域（印字領域）よりも幅広のステイトメント用紙の印字はできないという問題があった。
【０００７】
なお、ドットヘッドの印字領域を装置本体の全幅に近づけることにより、幅広のステイトメント用紙の印字は可能となる。
【０００８】
しかしながら、ドットヘッドの印字領域を装置本体の全幅に近づけた場合には、印字領域の両側のスローアップ領域、及びスローダウン領域の分だけ、装置本体を大型化しなければならないという問題が発生する。
【０００９】
本発明は上記事情に着目してなされたもので、その目的とするところは、装置本体を大型化することなく、シリアルヘッドの印字領域よりも幅広の印字媒体に対しても印字できるようにした印刷装置を提供することにある。
【課題を解決するための手段】
【００１０】
上記課題を解決するため、請求項１記載の発明は、印字媒体を搬送路に沿って搬送する搬送手段と、前記搬送路中に前記印字媒体の搬送方向に沿って配設され、前記印字媒体に対し印字するシリアルヘッド及びラインヘッドとを具備し、前記シリアルヘッドは、前記印字媒体の搬送方向に対し直交する移動路に沿って移動し、前記移動路の一端部側をスローアップ領域、中途部を等速とする印字領域、他端部側をスローダウン領域とし、前記ラインヘッドは、前記印字媒体の搬送方向に対し直交する方向に沿って設けられ、直交する方向の印字幅寸法を前記シリアルヘッドの印字領域以上とすることを特徴とする。
【発明の効果】
【００１１】
本発明によれば、装置本体を大型化することなく、シリアルヘッドの印字領域よりも幅広の印字媒体に対しても印字できる。
【発明を実施するための最良の形態】
【００１２】
以下、本発明の実施の形態を図面を参照して詳細に説明する。  
図１は、本発明の第１の実施の形態である印刷装置を示す構成図である。
【００１３】
図中１は装置本体で、この装置本体１の前面部側には通帳の出入口とステイトメント用紙の出口を兼用するフェイシア部２が設けられている。
【００１４】
装置本体１内の後部側には用紙装填部３が設けられ、この用紙装填部３にはロール状のサーマル用紙４が装填されている。サーマル用紙４の先端部は用紙装填部３から引き出されてサーマル用搬送手段５によって搬送路６ａに沿って搬送される。搬送路６ａ中にはサーマル用紙４の搬送方向に沿って順次、サーマル印字部７、切断部８が配設されている。
【００１５】
また、装置本体１内には、通帳を搬送路６ｂに沿って搬送する通帳用搬送手段１０が設けられている。搬送路６ｂは上記したサーマル用紙４の搬送路６ａに接続され、通帳用搬送手段１０は搬送路６ａから送り出されてくるサーマル用紙４を搬送路６ｂに沿って搬送する搬送手段としても兼用されるようになっている。
【００１６】
通帳用搬送手段１０は搬送路６ａに所定間隔を存して配設される複数個の搬送ローラ対１１ａ〜１１ｅ、出入用ローラ対１２、フィードローラ対１５によって構成されている。通帳の搬送路６ｂにはシリアルヘッドとしてのドットヘッド９ａを有するドット印字部９が配置され、搬送路６ｂはフェイシア部２に接続されている。
【００１７】
また、上記した通帳用搬送手段１０のサーマル用紙導入側にはサーマル用紙４の先端部を検出する検知センサ２８が設けられ、出入用ローラ対１２の近傍には通帳の挿入を検知する通帳挿入検知センサ２９が設けられている。
【００１８】
サーマル印字部７は、サーマル用紙４の搬送方向に沿って所定間隔を存して配置されるラインヘッドとしての第１及び第２のサーマルヘッド１７，１８を備え、これら第１及び第２のサーマルヘッド１７，１８にはサーマル用搬送手段５を構成する第１及び第２のプラテンローラ２０，２１が転接されている。サーマル用紙４は、第１及び第２のサーマルヘッド１７，１８と第１及び第２のプラテンローラ２０，２１とにより挟持搬送されて第１及び第２のサーマルヘッド１７，１８によりその表裏に情報が印字されるようになっている。
【００１９】
切断部８は、ロータリーカッタ２３を備え、サーマル用紙４が切断部８から所定距離送り出されるのに基づいてロータリーカッタ２３を回転させて切断し、ステートメント用紙を形成するようになっている。
【００２０】
上記したサーマル用搬送手段５を構成する第１及び第２のプラテンローラ２０，２１、ロータリーカッタ２３、及びサーマル側フィードローラ対１４は、第１の駆動モータ２５によって回転駆動され、また、通帳用搬送手段１０を構成する搬送ローラ対１１ａ〜１１ｅ、出入用ローラ対１２、及びフィードローラ対１５は、第２の駆動モータ２６によって回転駆動されるようになっている。
【００２１】
図２は上記した印刷装置の駆動制御系を示すブロック図である。
【００２２】
上記したサーマル用紙検知センサ２８、通帳挿入検知センサ２９、さらに、ステイトメント発行ボタン２７は送信回路を介して制御手段としての制御部２４に接続され、制御部２４には制御回路を介して上記した第１及び第２の駆動モータ２５，２６が接続されている。
【００２３】
制御部２４は、通帳挿入検知センサ２９が通帳の挿入を検知するのに基づいて第２の駆動モータ２６を動作させて搬送ローラ対１１ａ〜１１ｅ、出入用ローラ対１２、フィードローラ対１５を通帳を取り込む方向（第１の方向）に回転駆動させ、ドット印字終了後、逆方向（第２の方向）に回転駆動させるようになっている。
【００２４】
また、制御部２４は、ステイトメント発行ボタン２７がオンされるのに基づいて第１の駆動モータ２５を動作させ、第１及び第２のプラテンローラ２０，２１さらにサーマル側フィードローラ対１４をサーマル用紙４を送り出す方向に回転駆動させるようになっている。
【００２５】
さらに、制御部２４は、サーマル用紙検知センサ２８がサーマル用紙４の先端部を検知するのに基づいてロータリーカッタ２３を回転駆動させるとともに、第２の駆動モータ２６を動作させて搬送ローラ対１１ａ〜１１ｅ、出入用ローラ対１２、フィードローラ対１５を第２の方向に回転駆動させるようになっている。
【００２６】
ところで、上記したドットヘッド９ａとサーマルヘッド１７，１８は、図３にも示すように、通帳Ｔ、サーマル用紙４の搬送方向に沿って配設されるが、ドットヘッド９ａは、通帳Ｔの搬送方向に対し直交する移動路３２の一端部側から他端部側に向かって移動するようになっている。移動路３２の一端部側はドットヘッド９ａが移動速度をスローアップさせるスローアップ領域３２ａで、中途部が等速で移動する等速領域３２ｂで、他端部側が移動速度をスローダウンさせるスローダウン領域３２ｃとなっている。
【００２７】
ドットヘッド９ａは等速領域３２ｂで通帳Ｔに印字するようになっている。即ち、ドットヘッド９ａがスローアップ領域３２ａ、及びスローダウン領域３２ｃで印字した場合には、印字される文字が間延びしたり、縮むなどして不良状態となるため、等速領域（以下、印字領域という）３２ｂで印字を行なうようになっている。
【００２８】
また、サーマルヘッド１７，１８はサーマル用紙４の搬送方向に直交する方向に沿って配設され、その長手方向の印字幅寸法がドットヘッド９ａの印字領域３２ｂの幅寸法以上とされ、装置本体１の全幅寸法Ｈに近い大きさになっている。
【００２９】
従って、サーマル用紙４の幅寸法がドットヘッド９ａの印字領域３２ｂの幅寸法以上であっても、サーマルヘッド１７，１８によって印字することが可能となっている。
【００３０】
次に、上記したように構成される印刷装置の印字動作について説明する。
【００３１】
まず、通帳Ｔに印字する場合について説明する。
【００３２】
通帳Ｔが図４に示すようにフェイシア部２から挿入されて通帳挿入検知センサ２９によって検知されると、第２の駆動モータ２６が動作して出入用ローラ対１２、搬送ローラ対１１ａ〜１１ｅ、及びフィードローラ対１５が第１の方向に回転駆動される。この回転により、通帳Ｔが搬送されて図５に示すようにドット印字位置に到達すると、ドットヘッド９ａが動作されて印字が行なわれる。印字が終了すると、第２の駆動モータ２６により出入用ローラ対１２、フィードローラ対１５、及び搬送ローラ対１１ａ〜１１ｅが第２の方向に逆回転される。この逆回転により、通帳Ｔが逆送りされてフェイシア部２から送り出される。
【００３３】
つぎに、ステイトメント用紙を印字する場合について説明する。
【００３４】
サーマル用紙４の先端部側は、図６に示すように第１及び第２のプラテンローラ２０，２１と第１及び第２のサーマルヘッド１７，１８との間に挟持された状態にあり、ステイトメント発行ボタン２７がオンされると、第１の駆動モータ２５が動作してプラテンローラ２０，２１が回転駆動される。この回転により、サーマル用紙４が搬送されるとともに、第１及び第２のサーマルヘッド１７，１８の発熱によりサーマル用紙４の表裏面に情報が印字される。この印字後、サーマル用紙４は切断部８を通過してサーマル側フィードローラ対１４によって挟持搬送され、その先端部が図７に示すようにサーマル用紙検知センサ２８により検知されると、ロータリーカッタ２３が回転してサーマル用紙４が所定寸法に切断されてステイトメント用紙Ｓが形成される。このステイトメント用紙Ｓは、図８に示すようにフィードローラ対１５、搬送ローラ対１１ａ〜１１ｅ、及び出入用ローラ対１２の逆回転によって搬送路６ｂに沿って搬送されてフェイシア部２から排出される。
【００３５】
上記したように、この実施の形態によれば、通帳Ｔの搬送路６ｂ中にドットヘッド９ａを設けるとともに、サーマル用紙４の搬送路６ａ中にサーマルヘッド１７，１８を配設し、サーマルヘッド１７，１８の印字幅寸法をドットヘッド９ａの印字領域以上とするため、ドットヘッド９ａの印字領域よりも幅広のサーマル用紙４に対してもサーマルヘッド１７，１８によって印字することができる。
【００３６】
従って、装置本体１を幅寸法を増大して大型化することなく、幅広のステイトメント用紙Ｓの発行が可能となる。
【００３７】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３８】
【図１】本発明の一実施の形態である印刷装置を概略的に示す構成図。
【図２】図１の印刷装置の駆動制御系を示すブロック図。
【図３】図１のドットヘッドとサーマルヘッドの配置構成を示す図。
【図４】図１の印刷装置による通帳の印字動作を示す図。
【図５】図１の印刷装置による通帳の印字動作を示す図。
【図６】図１の印刷装置によるサーマル用紙の印字動作を示す図。
【図７】図１の印刷装置によるサーマル用紙の印字動作を示す図。
【図８】図１の印刷装置によるサーマル用紙の印字動作を示す図。
【符号の説明】
【００３９】
４…サーマル用紙（印字媒体）、５…サーマル用搬送手段（搬送手段）、６ａ，６ｂ…搬送路、９ａ…ドットヘッド（シリアルヘッド）、１０…通帳用搬送手段（搬送手段）、１７，１８…サーマルヘッド（ラインヘッド）、３２…移動路、３２ａ…スローアップ領域、３２ｂ…等速領域、３２ｃ…スローダウン領域、Ｔ…通帳（印字媒体）、Ｓ…ステイトメント用紙（印字媒体）。
【図１】
2010214735.tif 000003
【図２】
2010214735.tif 000004
【図３】
2010214735.tif 000005
【図４】
2010214735.tif 000006
【図５】
2010214735.tif 000007
【図６】
2010214735.tif 000008
【図７】
2010214735.tif 000009
【図８】
2010214735.tif 000010